【手続補正書】
【提出日】平成24年2月13日(2012.2.13)
【手続補正１】
【補正対象書類名】明細書
【補正対象項目名】００１１
【補正方法】変更
【補正の内容】
【００１１】
上記目的達成のため、この発明は、撮像手段と、表示手段と、前記撮像手段により撮影可能な所定領域内において、現在の撮影対称となっている部分領域の位置を検知する検知手段と、前記撮像手段により撮像される部分画像を、この撮影時に前記検知手段により検知された前記所定領域内の位置に対応付けて記憶手段に追加記憶していく記憶制御手段と、前記記憶手段の記憶状況に基づいて、前記所定領域内における撮影済み領域と非撮影済み領域とを識別して前記表示手段に表示する表示制御手段とを備えることを特徴とする。
【手続補正２】
【補正対象書類名】明細書
【補正対象項目名】００１２
【補正方法】変更
【補正の内容】
【００１２】
また、好ましい態様として、更に、前記所定領域は、前記撮像手段により一度に撮影可能な撮影範囲を上下および左右の両方に拡張した領域であり、前記検知手段は、前記所定領域内における前記部分領域の上下および左右の両方の位置を検知し、前記表示制御手段は、前記記憶手段の記憶状況に基づいて、前記上下および左右の両方に拡張された前記所定領域内における撮影済み領域と非撮影済み領域とを識別して前記表示手段に表示することを特徴とする。
また、好ましい態様として、更に、前記検知手段は、前記撮像手段の撮影方向であり、上下方向と左右方向の両方が変化する撮影方向を検知し、前記記憶制御手段は、前記撮像手段により撮像される画像を、各画像の撮影時に前記検知手段により検知された撮影方向に対応付けて記憶手段に追加記憶していき、前記表示制御手段は、前記記憶手段の記憶状況に基づいて、前記上下方向と左右方向の両方に広がった所定方位内における撮影済み領域と非撮影済み領域とを識別して前記表示手段に表示することを特徴とする。
また、好ましい態様として、更に、前記検知手段は、前記所定領域内において上下と左右の両方に変化する撮影位置をリアルタイムに検知し、前記記憶制御手段は、前記撮像手段により、撮影位置が上下左右に変化しながら逐次撮像される画像を、各画像の撮影時に前記検知手段により検知された前記所定領域内の位置に対応付けて記憶手段に追加記憶していき、前記表示制御手段は、前記記憶制御手段による追加記憶が行われる毎に変化する前記記憶手段の記憶状況に基づいて、前記所定領域内において撮影済み領域と非撮影済み領域とが逐次変化していく様子を前記表示手段にリアルタイムに表示することを特徴とする。
また、好ましい態様として、更に、前記表示手段は、前記撮像手段により逐次撮像されるスルー画像を表示し、前記表示制御手段は、前記所定領域内における撮影済み領域と非撮影済み領域とが逐次変化していく様子を、前記表示手段に表示されているスルー画像とともに表示する、ことを特徴とする。
【手続補正３】
【補正対象書類名】明細書
【補正対象項目名】００１３
【補正方法】変更
【補正の内容】
【００１３】
また、好ましい態様として、更に、前記表示制御手段は、非撮影済み領域をカラー表示し、撮影済み領域をモノクロ表示する、ことを特徴とする。
【手続補正４】
【補正対象書類名】明細書
【補正対象項目名】００１４
【補正方法】変更
【補正の内容】
【００１４】
また、好ましい態様として、更に、前記表示手段は、前記撮像手段により逐次撮像されるスルー画像を中央部分に表示し、前記表示制御手段は、前記所定領域内における撮影済み領域および非撮影済み領域を、前記表示手段の周辺部に識別可能に合成して表示する、ことを特徴とする。
【手続補正５】
【補正対象書類名】明細書
【補正対象項目名】００１５
【補正方法】変更
【補正の内容】
【００１５】
また、好ましい態様として、更に、前記表示制御手段は、撮影済みの画像を、この撮影済みの画像の前記所定領域内における位置と前記スルー画像の前記所定領域内における位置との位置関係に対応した表示位置となるように、前記スルー画像とともに合成して表示する、ことを特徴とする。
【手続補正６】
【補正対象書類名】明細書
【補正対象項目名】００１６
【補正方法】変更
【補正の内容】
【００１６】
また、好ましい態様として、更に、前記検知手段は、前記撮像手段による撮影方向に加えて回転方向を検出し、前記記憶制御手段は、前記撮像手段により上下方向、左右方向および回転方向が変化しながら逐次撮像される画像を、各画像の撮影時に前記検知手段により検知された撮影方向および回転方向に対応付けて前記記憶手段に追加記憶していくことを特徴とする。
【手続補正７】
【補正対象書類名】明細書
【補正対象項目名】００１７
【補正方法】変更
【補正の内容】
【００１７】
また、好ましい態様として、更に、前記所定領域を全て含む複数の部分画像の撮影を完了したことを判定して通知する撮影完了通知手段を更に備えることを特徴とする。
【手続補正８】
【補正対象書類名】明細書
【補正対象項目名】００１８
【補正方法】変更
【補正の内容】
【００１８】
また、好ましい態様として、更に、前記検知手段により検知された前記撮像手段による撮影方向を、前記記憶手段の記憶領域アドレスに変換する変換手段を更に備え、前記記憶手段は、前記変換手段に変換された記憶領域アドレスで示される記憶領域に前記撮像手段により撮像される全方位における撮影済みの画像を記憶する、ことを特徴とする。
【手続補正９】
【補正対象書類名】明細書
【補正対象項目名】００１９
【補正方法】変更
【補正の内容】
【００１９】
上記目的達成のため、他の態様による発明は、撮像部により撮像した画像を表示部に表示するとともに、記憶部に記憶する撮像方法であって、前記撮像部により撮影可能な所定領域内において、現在の撮影対称となっている部分領域の位置を検知する検知ステップと、前記撮像手段により撮像される部分画像を、この撮影時に前記検知ステップにより検知された前記所定領域内の位置に対応付けて記憶手段に追加記憶していく記憶制御ステップと、前記記憶手段の記憶状況に基づいて、前記所定領域内における撮影済み領域と非撮影済み領域とを識別して前記表示手段に表示する表示制御ステップとを含むことを特徴とする。
【手続補正１０】
【補正対象書類名】明細書
【補正対象項目名】００２０
【補正方法】変更
【補正の内容】
【００２０】
また、好ましい態様として、更に、前記所定領域を全て含む複数の部分画像の撮影を完了したことを判定して通知するステップを更に含むことを特徴とする。
【手続補正１１】
【補正対象書類名】明細書
【補正対象項目名】００２１
【補正方法】変更
【補正の内容】
【００２１】
また、好ましい態様として、更に、前記検知された前記撮像部による撮影方向を、前記記憶部の記憶領域アドレスに変換するステップと、前記変換された記憶領域アドレスで示される記憶領域に前記撮像部により撮像される全方位における撮影済みの画像を記憶するステップとを更に含むことを特徴とする。
【手続補正１２】
【補正対象書類名】明細書
【補正対象項目名】００２２
【補正方法】変更
【補正の内容】
【００２２】
上記目的達成のため、他の態様による発明は、撮像部と、該撮像部により撮像した画像を表示する表示部と、撮影した画像を記憶する記憶部とを備える撮像装置のコンピュータを、前記撮像手段により撮影可能な所定領域内において、現在の撮影対称となっている部分領域の位置を検知する検知手段と、前記撮像手段により撮像される部分画像を、この撮影時に前記検知手段により検知された前記所定領域内の位置に対応付けて記憶手段に追加記憶していく記憶制御手段と、前記記憶手段の記憶状況に基づいて、前記所定領域内における撮影済み領域と非撮影済み領域とを識別して前記表示手段に表示する表示制御手段として機能させることを特徴とする。
【手続補正１３】
【補正対象書類名】特許請求の範囲
【補正対象項目名】全文
【補正方法】変更
【補正の内容】
【特許請求の範囲】
【請求項１】
撮像手段と、
表示手段と、
前記撮像手段により撮影可能な所定領域内において、現在の撮影対称となっている部分領域の位置を検知する検知手段と、
前記撮像手段により撮像される部分画像を、この撮影時に前記検知手段により検知された前記所定領域内の位置に対応付けて記憶手段に追加記憶していく記憶制御手段と、
前記記憶手段の記憶状況に基づいて、前記所定領域内における撮影済み領域と非撮影済み領域とを識別して前記表示手段に表示する表示制御手段と
を備えることを特徴とする撮像装置。
【請求項２】
前記所定領域は、前記撮像手段により一度に撮影可能な撮影範囲を上下および左右の両方に拡張した領域であり、
前記検知手段は、前記所定領域内における前記部分領域の上下および左右の両方の位置を検知し、
前記表示制御手段は、前記記憶手段の記憶状況に基づいて、前記上下および左右の両方に拡張された前記所定領域内における撮影済み領域と非撮影済み領域とを識別して前記表示手段に表示することを特徴とする請求項１記載の撮像装置。
【請求項３】
前記検知手段は、前記撮像手段の撮影方向であり、上下方向と左右方向の両方が変化する撮影方向を検知し、
前記記憶制御手段は、前記撮像手段により撮像される画像を、各画像の撮影時に前記検知手段により検知された撮影方向に対応付けて記憶手段に追加記憶していき、
前記表示制御手段は、前記記憶手段の記憶状況に基づいて、前記上下方向と左右方向の両方に広がった所定方位内における撮影済み領域と非撮影済み領域とを識別して前記表示手段に表示することを特徴とする請求項２記載の撮像装置。
【請求項４】
前記検知手段は、前記所定領域内において上下と左右の両方に変化する撮影位置をリアルタイムに検知し、
前記記憶制御手段は、前記撮像手段により、撮影位置が上下左右に変化しながら逐次撮像される画像を、各画像の撮影時に前記検知手段により検知された前記所定領域内の位置に対応付けて記憶手段に追加記憶していき、
前記表示制御手段は、前記記憶制御手段による追加記憶が行われる毎に変化する前記記憶手段の記憶状況に基づいて、前記所定領域内において撮影済み領域と非撮影済み領域とが逐次変化していく様子を前記表示手段にリアルタイムに表示することを特徴とする請求項３記載の撮像装置。
【請求項５】
前記表示手段は、
前記撮像手段により逐次撮像されるスルー画像を表示し、
前記表示制御手段は、
前記所定領域内における撮影済み領域と非撮影済み領域とが逐次変化していく様子を、前記表示手段に表示されているスルー画像とともに表示する、
ことを特徴とする請求項１乃至４のいずれかに記載の撮像装置。
【請求項６】
前記表示制御手段は、
非撮影済み領域をカラー表示し、撮影済み領域をモノクロ表示する、
ことを特徴とする請求項１乃至５のいずれかに記載の撮像装置。
【請求項７】
前記表示手段は、
前記撮像手段により逐次撮像されるスルー画像を中央部分に表示し、
前記表示制御手段は、
前記所定領域内における撮影済み領域および非撮影済み領域を、前記表示手段の周辺部に識別可能に合成して表示する、
ことを特徴とする請求項５記載の撮像装置。
【請求項８】
前記表示制御手段は、
撮影済みの画像を、この撮影済みの画像の前記所定領域内における位置と前記スルー画像の前記所定領域内における位置との位置関係に対応した表示位置となるように、前記スルー画像とともに合成して表示する、
ことを特徴とする請求項７記載の撮像装置。
【請求項９】
前記検知手段は、
前記撮像手段による撮影方向に加えて回転方向を検出し、
前記記憶制御手段は、前記撮像手段により上下方向、左右方向および回転方向が変化しながら逐次撮像される画像を、各画像の撮影時に前記検知手段により検知された撮影方向および回転方向に対応付けて前記記憶手段に追加記憶していくことを特徴とする請求項３に記載の撮像装置。
【請求項１０】
前記所定領域を全て含む複数の部分画像の撮影を完了したことを判定して通知する撮影完了通知手段を更に備えることを特徴とする請求項１乃至９のいずれかに記載の撮像装置。
【請求項１１】
前記検知手段により検知された前記撮像手段による撮影方向を、前記記憶手段の記憶領域アドレスに変換する変換手段を更に備え、
前記記憶手段は、
前記変換手段に変換された記憶領域アドレスで示される記憶領域に前記撮像手段により撮像される全方位における撮影済みの画像を記憶する、
ことを特徴とする請求項３に記載の撮像装置。
【請求項１２】
撮像部により撮像した画像を表示部に表示するとともに、記憶部に記憶する撮像方法であって、
前記撮像部により撮影可能な所定領域内において、現在の撮影対称となっている部分領域の位置を検知する検知ステップと、
前記撮像手段により撮像される部分画像を、この撮影時に前記検知ステップにより検知された前記所定領域内の位置に対応付けて記憶手段に追加記憶していく記憶制御ステップと、
前記記憶手段の記憶状況に基づいて、前記所定領域内における撮影済み領域と非撮影済み領域とを識別して前記表示手段に表示する表示制御ステップと
を含むことを特徴とする撮像方法。
【請求項１３】
前記所定領域を全て含む複数の部分画像の撮影を完了したことを判定して通知するステップを更に含むことを特徴とする請求項９記載の撮像方法。
【請求項１４】
前記検知された前記撮像部による撮影方向を、前記記憶部の記憶領域アドレスに変換するステップと、
前記変換された記憶領域アドレスで示される記憶領域に前記撮像部により撮像される全方位における撮影済みの画像を記憶するステップと
を更に含むことを特徴とする請求項１２または１３に記載の撮像方法。
【請求項１５】
撮像部と、該撮像部により撮像した画像を表示する表示部と、撮影した画像を記憶する記憶部とを備える撮像装置のコンピュータを、
前記撮像手段により撮影可能な所定領域内において、現在の撮影対称となっている部分領域の位置を検知する検知手段と、
前記撮像手段により撮像される部分画像を、この撮影時に前記検知手段により検知された前記所定領域内の位置に対応付けて記憶手段に追加記憶していく記憶制御手段と、
前記記憶手段の記憶状況に基づいて、前記所定領域内における撮影済み領域と非撮影済み領域とを識別して前記表示手段に表示する表示制御手段と
して機能させることを特徴とするプログラム。